(57)【要約】  三拍子歩行用履物を開示する。この履物は、踵を着地する第１着地部（１００）と、足の中心を着地する第２着地部（２００）と、つま先を着地する第３着地部（３００）とからなるアウトソール（Ｓ）を備える。前記第１着地部（１００）は、地面に着地される踵の第１拍子を誘導するように、第１着地部と第２着地部（２００）との連接端（Ｃ）から幅方向に沿って内方に湾曲した着地誘導溝（１１０）と、前記着地誘導溝（１１０）に連結され、踵の転がり着地を誘導するように連続曲率を成す転がり着地面（１２０）と、前記転がり着地面（１２０）で転がり着地する踵の衝撃を緩衝させるように内蔵されるエアクッション（１３０）とを含む。
2008535639.tif 000002
【特許請求の範囲】
【請求項１】
踵を着地する第１着地部（１００）と、足の中心を着地する第２着地部（２００）と、つま先を着地する第３着地部（３００）とからなるアウトソール（Ｓ）を備えて三拍子歩行を誘導する履物において、
前記第１着地部（１００）は、地面に着地される踵の第１拍子を誘導するように、第１着地部と第２着地部（２００）との連接端（Ｃ）から幅方向に沿って内方に湾曲した着地誘導溝（１１０）と、前記着地誘導溝（１１０）に連結され、踵の転がり着地を誘導するように連続曲率を成す転がり着地面（１２０）と、前記転がり着地面（１２０）で転がり着地する踵の衝撃を緩衝させるように内蔵されるエアクッション（１３０）とを含み、
前記エアクッション（１３０）は、踵の衝撃によって弾力的に伸縮するように弾性材質からなり、エアが充填されたチャンバー（１３２）と、前記チャンバー（１３２）の上下面に相互対応するように内蔵され、踵の衝撃を緩衝させる緩衝突起（１３４）とを含むことを特徴とする、三拍子歩行用履物。
【請求項２】
踵を着地する第１着地部（１００）と、足の中心を着地する第２着地部（２００）と、つま先を着地する第３着地部（３００）とからなるアウトソール（Ｓ）を備えて三拍子歩行を誘導する履物において、
前記第１着地部（１００）は、地面に着地される踵の第１拍子を誘導するように、第１着地部と第２着地部（２００）との連接端（Ｃ）から幅方向に沿って内方に湾曲した着地誘導溝（１１０）と、前記着地誘導溝（１１０）に連結され、踵の転がり着地を誘導するように連続曲率を成す転がり着地面（１２０）と、前記転がり着地面（１２０）で転がり着地する踵の衝撃を緩衝させるように内蔵されるエアクッション（１３０）とを含み、
前記アウトソール（Ｓ）の上面には、相互連通するように穿設された多数の垂直通気孔（５１０）と、この垂直通気孔（５１０）に連結され、踵が当たるその底面に設けられた取付溝（５３０）とを備えるインソール（５００）を付着させ、前記取付溝（５３０）には、足踵の衝撃を弾力的に緩衝させながら垂直通気孔（５１０）へエアを供給するように緩衝器（６００）が装着されることを特徴とする、三拍子歩行用履物。
【請求項３】
前記エアクッション（１３０）は、踵の衝撃によって弾力的に伸縮するように弾性材質からなり、エアが充填されたチャンバー（１３２）と、前記チャンバー（１３２）の上下面に相互対応するように内蔵され、踵の衝撃を緩衝させる緩衝突起（１３４）とを含むことを特徴とする、請求項２に記載の三拍子歩行用履物。
【請求項４】
前記第２着地部（２００）が地面に着地されながら連接端（Ｃ）から転がり着地面（１２０）の接線までの線分と地面の間に形成される傾斜角は１１〜１３°であることが特徴とする、請求項１または２に記載の三拍子歩行用履物。
【請求項５】
前記第１着地部（１００）、前記第２着地部（２００）および前記第３着地部（３００）は、アウトソール（Ｓ）の全長に対して３３〜３７％：４２〜４６％：１９〜２３％の割合で構成されることを特徴とする、請求項１または２に記載の三拍子歩行用履物。
【請求項６】
前記第１着地部（１００）は、第２着地部（２００）が着地されるときに地面から離隔することを特徴とする、請求項１または２に記載の三拍子歩行用履物。
【請求項７】
前記アウトソール（Ｓ）には、第２着地部（２００）から第３着地部（３００）への着地過程中に、歩行者の足の小指から親指への順序で地面に当たるように誘導するバランス突起（４００）が下向きに突出するように一体に設けられることを特徴とする、請求項１または２に記載の三拍子歩行用履物。
【請求項８】
前記バランス突起（４００）は、アウトソール（Ｓ）の先端から長手方向に沿って１５％の地点と４５％の地点との間に設けられた着地面のうち、アウトソール（Ｓ）の外側端から幅方向に沿って３０〜４０％の地点の間に設けられることを特徴とする、請求項７に記載の三拍子歩行用履物。
【請求項９】
前記バランス突起（４００）は、１〜２ｍｍの厚さを有し、アウトソール（Ｓ）の内側端から外側端方向に緩やかに突出することを特徴とする、請求項７に記載の三拍子歩行用履物。
【請求項１０】
前記インソール（５００）の底面には、つま先が着地される第３着地部（３００）の衝撃を緩衝させるように複数の衝撃緩衝突起（５６０）が一体に設けられることを特徴とする、請求項２に記載の三拍子歩行用履物。
【請求項１１】
前記衝撃緩衝突起（５６０）には、第３着地部（３００）の衝撃を分散させるように垂直に分散孔（５６２）が穿設されることを特徴とする、請求項１０に記載の三拍子歩行用履物。
【請求項１２】
前記衝撃緩衝突起（５６０）は、インソール（５００）の先端方向に沿って厚さ（ｔ）が薄くなることを特徴とする、請求項１１に記載の三拍子歩行用履物。
【請求項１３】
前記緩衝器（６００）は、エアチューブ（５２０）を介して垂直通気孔（５１０）へエアを供給するようにエア供給孔（６１８）を有する弾性材質のケース（６１０）と、前記ケース（６１０）に内蔵され、踵の衝撃を緩衝させる弾性部材（６２０）とを含むことを特徴とする、請求項２または１０に記載の三拍子歩行用履物。
【請求項１４】
前記ケース（６１０）は、本体（６１２）と、前記本体（６１２）に折畳み連結片（６１６）で開閉可能に連結されるカバー（６１４）とを含むが、前記折畳み連結片（６１６）にはエア供給孔（６１８）が穿設されることを特徴とする、請求項１３に記載の三拍子歩行用履物。
【請求項１５】
前記弾性部材（６２０）は、前記本体（６１２）と前記カバー（６１４）の内部に相互対応するように設けられた固定リング（１６２ａ）（６１４ａ）に固定され、コイルバネからなることを特徴とする、請求項１４に記載の三拍子歩行用履物。
【請求項１６】
前記第１着地部（１００）が地面に着地されながら第２着地部（２００）と地面の間に形成される傾斜角（β）は１５〜１７°であることを特徴とする、請求項２または１０に記載の三拍子歩行用履物。
【請求項１７】
前記インソール（５００）には、足裏を指圧するように複数の第１指圧突起（５４０）が一体に設けられることを特徴とする、請求項２に記載の三拍子歩行用履物。
【請求項１８】
前記インソール（５００）には、足裏の湧泉穴を指圧するように複数の第２指圧突起（５５０）が一体に設けられることを特徴とする、請求項２または１７に記載の三拍子歩行用履物。
【請求項１９】
前記取付溝（５３０）の外側端部には端部リム（５３２）が突設され、この端部リム（５３２）の付着位置を設定するようにアウトソール（Ｓ）の上面には装着凹部（１５０）が設けられることを特徴とする、請求項２または１０に記載の三拍子歩行用履物。
【発明の詳細な説明】
【技術分野】
【０００１】
本発明は、三拍子歩行用履物に係り、さらに詳しくは、三拍子で歩行する歩行者にスムーズな転がり着地を誘導しながら踵の衝撃を緩衝させ、歩行者の足首、下腿、ひざ関節および腿に作用する痛みを予め防止することができ、歩行者の衝撃を緩和することができる上、弾力を与えてリズミカルな三拍子歩行を誘導することができる三拍子歩行用履物に関する。
【０００２】
また、本発明は、本件出願人によって２００５年に出願された韓国登録特許第５７６３８１号「インソール付き履物」に適用し、三拍子で歩行する歩行者の衝撃を吸収することが可能な三拍子歩行用履物に関する。
【背景技術】
【０００３】
履物は、地面上で立ったり歩いたりするために足に履くものである。履物を履いて歩くときは、脊髄を真っ直ぐに伸ばして頸を若干後ろに反らせた状態で、踵から足の中心、つま先への順序で足裏が地面に当たりながら、まるで前方に転んで行くような感じで歩く、いわゆる「三拍子」歩行法が最も好ましいと広く知られている。
【０００４】
このような三拍子歩行法を再現するために、１９９８年に出願された韓国特許公告第２３９８５４号「健康増進用履物」の技術的な構成を考察すると、底部の前方および後方に、上向きに切り欠いた前面および後面切欠き部を持つアウトソールと、アウトソールの上方に固着されて足を保護する甲皮と、前記前面および後面切欠き部に設けられた前面および後面凹部とを含んでなり、これにより履物の前・後部にそれぞれ設けられた前面および後面切欠き部によって歩行の際に自然な三拍子歩行を誘導する。
【０００５】
ところが、上述した従来の履物は、三拍子歩行の際に、踵に相当する後面切欠き部から、足の中心に相当する足裏部、つま先に相当する前面切欠き部への順序で地面に当たるが、この際、踵に相当する後面切欠き部には歩行者の体重により加えられる衝撃に対して適切に干渉作用を行うことができず、これによる衝撃が歩行者に直接伝達されて足首、下腿、ひざ関節および腿などに無理を与えることにより痛みを誘発する上、歩行者に疲労感を加重させるという問題点があった。
【０００６】
特に、従来の履物は、金属材からなる鉄片が前記アウトソールに挿入され、アウトソールの全体の形状を保持するが、このような鉄片により、歩行者に伝達される衝撃が倍加されるという問題点があった。
【０００７】
また、従来の履物は、後面切欠き部が平らな水平面からなり、歩行者の踵全体が一度に地面に当たって歩行のリズムが切れてしまうだけでなく、これにより足首、下腿、ひざ関節および腿などに無理を与えるという問題点があった。
【０００８】
しかも、三拍子歩行の際に、つま先に相当する足指は小指から親指への順序で地面に当たることが好ましいが、従来の履物は、前面切欠き部が平らな水平面からなっており、歩行者の足指が小指から親指への順序で地面に当たるように誘導することができないという問題点があった。
【発明の開示】
【発明が解決しようとする課題】
【０００９】
そこで、本発明の目的は、三拍子で歩行する歩行者にスムーズな転がり着地を誘導しながら踵の衝撃を緩衝させ、歩行者の足首、下腿、ひざ関節および腿に作用する痛みを予め防止することができ、歩行者の衝撃を緩和することができる上、弾力を与えてリズミカルな三拍子歩行を誘導することができる三拍子歩行用履物を提供することにある。
【００１０】
本発明の他の目的は、本出願人によって２００５年に先出願された韓国登録特許第５７６３８１号を「インソール付き履物」に適用し、三拍子で歩行する歩行者の衝撃を吸収することが可能な三拍子歩行用履物を提供することにある。
【課題を解決するための手段】
【００１１】
上記目的を達成するために、本発明は、踵を着地する第１着地部と、足の中心を着地する第２着地部と、つま先を着地する第３着地部とからなるアウトソールを備えて三拍子歩行を誘導する履物において、前記第１着地部は、地面に着地される踵の第１拍子を誘導するように、第１着地部と第２着地部との連接端から幅方向に沿って内方に湾曲した着地誘導溝と、前記着地誘導溝に連結され、踵の転がり着地を誘導するように連続曲率を成す転がり着地面と、前記転がり着地面で転がり着地する踵の衝撃を緩衝させるように内蔵されるエアクッションとを含み、前記アウトソールの上面には、相互に連通するように穿設された多数の垂直通気孔と、この垂直通気孔に連結され、足踵が当たるその底面に設けられた取付溝とを備えるインソールを付着させ、前記取付溝には、踵の衝撃を弾力的に緩衝させながら垂直通気孔へエアを供給するように緩衝器を装着することを特徴とする、三拍子歩行用履物を提供する。
【００１２】
ここで、前記第２着地部が地面に着地されながら、連接端から転がり着地面の接線までの線分と地面の間に形成される傾斜角は１１〜１３°であることが好ましく、前記第１着地部、前記第２着地部および前記第３着地部はアウトソールの全長に対して３３〜３７％：４２〜４６％：１９〜２３％の割合で構成されることが好ましい。
【００１３】
前記エアクッションは、踵の衝撃によって弾力的に伸縮するように弾性材質からなり、エアが充填されたチャンバーと、前記チャンバーの上下面に相互対応するように内蔵され、踵の衝撃を緩衝させる緩衝突起とを含む。
【００１４】
前記第１着地部は、第２着地部が着地されるときに地面から離隔する。前記アウトソールには、第２着地部から第３着地部への着地過程中に、歩行者の足の小指から親指への順序で地面に当たるように誘導するバランス突起が下向きに突出するように一体に設けられる。このようなバランス突起は、アウトソールの先端から長手方向に沿って１５％の地点と４５％の地点との間に設けられた着地面のうち、アウトソールの外側端から幅方向に沿って３０〜４０％の地点の間に設けられることが好ましい。
【００１５】
また、前記バランス突起は、１〜２ｍｍの厚さを有し、アウトソールの内側端から外側端方向に緩やかに突出することが好ましい。前記インソールの底面には、つま先が着地される第３着地部の衝撃を緩衝させるように複数の衝撃緩衝突起が一体に設けられるが、前記衝撃緩衝突起には、第３着地部の衝撃を分散させるように垂直に分散孔が穿設される。また、前記衝撃緩衝突起は、インソールの先端方向に沿って厚さが薄くなることが好ましい。
【００１６】
前記緩衝器は、エアチューブを介して垂直通気孔へエアを供給するようにエア供給孔を有する弾性材質のケースと、前記ケースに内蔵され、踵の衝撃を緩衝させる弾性部材とを含む。前記ケースは、本体と、前記本体に折畳み連結片で開閉可能に連結されるカバーとを含み、前記折畳み連結片にはエア供給孔が穿設される。
【００１７】
前記弾性部材は、前記本体と前記カバーの内部に相互対応するように設けられた固定リングに固定される、コイルバネからなる。一方、前記第１着地部が地面に着地されながら第２着地部と地面の間に形成される傾斜角は１５〜１７°であることが好ましい。
【００１８】
また、前記インソールには足裏を指圧するように複数の第１指圧突起が一体に設けられ、前記インソールには足裏の湧泉穴を指圧するように複数の第２指圧突起が一体に設けられる。前記取付溝の外側端部には端部リムが突設され、この端部リムの付着位置を設定するようにアウトソールの上面には装着凹部が設けられる。
【発明の効果】
【００１９】
第一に、本発明は、三拍子で歩行する歩行者にスムーズな転がり着地を誘導しながら踵の衝撃を緩衝させ、歩行者の足首、下腿、ひざ関節および腿に作用する痛みを予め防止することができ、これにより歩行者の疲労感を著しく減らして長時間歩行することができるという効果がある。
【００２０】
第二に、本発明は、アウトソールに設けられたバランス突起によって三拍子で歩行する歩行者の足首が挫かれることを防止し、歩行者のバランスを誘導することができるという効果がある。
【００２１】
第三に、本発明は、第１着地部と第２着地部と第３着地部が適切な割合で構成され、転がり着地面が最適の傾斜角をなして、三拍子で歩行する歩行者に最適の歩行を誘導することができるという効果がある。
【００２２】
第四に、本発明は、アウトソールのエアクッションと共にインソールの緩衝器が同時に緩衝作用を果たし、三拍子で歩行する歩行者の衝撃を緩和することができるとともに、歩行者に弾力を与えてリズミカルな三拍子歩行を誘導することができるという効果がある。
【発明を実施するための最良の形態】
【００２３】
以下に添付図面を参照しながら、本発明の好適な実施例を詳細に説明する。
【００２４】
本発明は、図１〜図７に示すように、着地誘導溝１１０、転がり着地面１２０およびエアクッション１３０からなる第１着地部１００、第２着地部２００、および第３着地部３００を含むアウトソールＳと、このアウトソールＳの上面に付着し、緩衝器６００を有するインソール５００とを含んでなる。
【００２５】
アウトソールＳは、図２に示すように、踵を着地する第１着地部１００、足の中心を着地する第２着地部２００、およびつま先を着地する第３着地部３００からなる。歩行者は、第１着地部１００から第２着地部２００、第３着地部３００への順序で地面に着地して三拍子で歩行する。
【００２６】
ここで、第１着地部１００は、着地誘導溝１１０、転がり着地面１２０、およびエアクッション１３０を含む。着地誘導溝１１０は、第１着地部１００と第２着地部２００とが連接する連接端Ｃから内方に湾曲するように設けられ、歩行者の三拍子中の第１拍子を誘導する。
【００２７】
転がり着地面１２０は、着地誘導溝１１０の後端部から自然に連結されながらアウトソールＳの後端部に緩やかな連続曲率を形成する。この転がり着地面１２０は、歩行者の踵の転がりをスムーズに誘導し、地面に着地される第１着地部１００の柔軟性を図る。
【００２８】
図２は第２着地部２００が地面に着地された状態を示す。図示したように、転がり着地面１２０は、連接端ＣからアウトソールＳの後端に沿って上向きに１１〜１３°の傾斜角βで傾いているが、この傾斜角βは１２°とすることが最も好ましい。ここで、転がり着地面１２０の傾斜角βは、連結端Ｃから転がり着地面１２０の接線までの線分と地面との角度を示す。
【００２９】
エアクッション１３０は、歩行者の踵が当たる部位のアウトソールＳに内蔵され、踵に加えられる衝撃を緩衝させるものである。このエアクッション１３０は、踵の衝撃によって弾力的に伸縮するように弾性材質からなり、エアが充填されたチャンバー１３２と、このチャンバー１３２の上・下面に相互対応するように内蔵され、踵の衝撃を弾力的に緩衝させる緩衝突起１３４とを含む。
【００３０】
したがって、歩行者の踵に相当する第１着地部１００の転がり着地面１２０がスムーズに転がり着地しながら着地誘導溝１１０によって三拍子歩行中の第１拍子が形成される。この際、踵に加えられる衝撃は、エアクッション１３０を介して緩衝され、歩行者の足首、下腿、ひざ関節および腿などに痛みを与えなくなる。
【００３１】
第２着地部２００は、歩行者の足の中心が着地する三拍子歩行中の第２拍子を形成するものである。この第２着地部２００は、地面に均一に着地しながら、三拍子で歩行する歩行者のバランスを取る。
【００３２】
第３着地部３００は、第２着地部２００からアウトソールＳの先端へ上昇するように緩やかに湾曲した湾曲面を形成して三拍子歩行中の最後の拍子を形成するものである。この第３着地部３００は、第２着地部２０に次いで連続的に着地することにより、三拍子で歩行する歩行者の跳躍を誘導する。すなわち、第３着地部３００が緩やかな曲面から形成されることにより、歩行者のリズム感を生かして自然な推進力を誘導する。
【００３３】
このように構成された第１着地部１００、第２着地部２００および第３着地部３００は、アウトソールＳの全長に対して３３〜３７％：４２〜４６％：１９〜２３％の割合で構成されるが、最も好ましくは３５％：４４％：２１％の割合で構成されることがよい。
【００３４】
すなわち、アウトソールＳの全長中、アウトソールＳの後端から着地誘導溝１１０の形成された連結端Ｃまでの第１着地部１００は３５％、緩やかな湾曲面を形成する第３着地部３００は２１％、第１着地部１００と第３着地部３００との間に形成される第２着地部２００は４４％の割合で構成される。このような割合は、足の全体の形状を成す踵、足の中心に相当する足裏、つま先に相当する足指の割合を考慮して最適の三拍子歩行を誘導するためのものである。
【００３５】
図３および図４を参照すると、アウトソールＳの先端から長手方向に沿って１５％の地点と４５％の地点との間に形成された着地面のうち、アウトソールＳの外側端から幅方向に沿って３０〜４０％の地点の間に下向きに突出したバランス突起４００が一体に備えられる。このようなバランス突起４００は、１〜２ｍｍの厚さ（ｌ）を持つが、アウトソールＳの内側端から外側端に緩やかに突出する。
【００３６】
したがって、バランス突起４００は三拍子歩行中に歩行者のバランスを誘導する。すなわち、歩行者は三拍子に基づいて足の中心からつま先までの過程中に足指が小指から親指への順序で着地するので、アウトソールＳは足の小指が当たる部分が最も先に磨耗され、これにより、三拍子歩行中に足首が挫けられる場合が発生する。この際、バランス突起４００は、このように足首が挫けられることを防止し、三拍子で歩行する歩行者のバランスを適切に保持させる。
【００３７】
上述したアウトソールＳの上面には、緩衝器６００を有するインソール５００が付着される。インソール５００の前方には多数の垂直通気孔５１０が穿設される。これらの垂直通気孔５１０は相互連通する。踵に当たるインソール５００の後方の底面には、垂直通気孔５１０にエアチューブ５２０で連結される取付溝５３０が設けられる。
【００３８】
取付溝５３０の外側端部に沿って端部リム５３２が突設される。この端部リム５３２はアウトソールＳの上面に設けられた装着凹部１５０に位置し、インソール５００がアウトソールＳに付着されるときに付着位置を設定する。このようなインソール５００の取付溝５３０には緩衝器６００が取り付けられ、これにより踵の衝撃を弾力的に緩衝させる。
【００３９】
緩衝器６００は、エアチューブ５２０を介して垂直通気孔５１０へエアを供給するようにエア供給孔６１８を有する弾性材質のケース６１０と、このケース６１０に内蔵され、踵の衝撃を弾力的に緩衝させる弾性部材６２０とを含む。
ここで、ケース６１０は、本体６１２と、この本体６１２に折畳み連結片６１６で開閉可能に連結されるカバー６１４とを含み、本体６１２とカバー６１４の内部には相互対応するように固定リング６１２ａ、６１４ａがそれぞれ設けられ、折畳み連結片６１６にはエア供給孔６１８が穿設される。
【００４０】
弾性部材６２０は、コイルバネからなり、固定リング６１２ａ、６１４ａに固定されることが好ましいが、選択的に踵の衝撃を弾力的に緩衝させることが可能な板バネで実現されてもよい。弾性部材６２０は、図５に示すように、直径の異なる少なくとも２つ以上のコイルバネからなることが好ましい。したがって、三拍子で歩行する歩行者の第１着地部１００の着地の際に踵の衝撃を弾性材質のケース６１０と弾性部材６２０が同時に緩衝させる上、アウトソールＳのエアクッション１３０と共に二重に緩衝作用を果たす。
【００４１】
インソール５００には、足裏を指圧するように複数の第１指圧突起５４０が一体に設けられる。この第１指圧突起５４０は、第２着地部２００に相当する部位に設けられることが好ましい。また、インソール５００には、湧泉穴を指圧するように複数の第２指圧突起５５０が一体に設けられる。この第２指圧突起５５０は第２着地部２００が着地されるときに湧泉穴に刺激を与え、このような湧泉穴の刺激は血液循環を促進させ、足に集中している有害毒素および沈殿物を分解する。このようなインソール５００は、アウトソールＳの上面に接着剤で堅く貼り付け、或いは履物の内側に着脱可能に取り付けることが可能である。図面中、未説明符号１４０はアウトソールに挿入された鉄片を示す。
【００４２】
次に、図６および図７によって本発明の三拍子歩行中の着地関係を詳細に説明する。
【００４３】
まず、図６（ａ）に示すように、地面に第１着地面１００の転がり着地面１２０が当たりながら踵のスムーズな転がり着地が誘導される。このように転がり着地が誘導された履物は、図６（ｂ）に示すように、着地誘導溝１１０によって三拍子中の第１拍子を形成する。
【００４４】
ここで、図７を参照して、第１着地部１００が地面に着地されるときの第２着地部２００の傾斜角を考察すると、図７（ａ）に示すように、アウトソールＳのエアクッション１３０および緩衝器６００が緩衝作用をしていない状態の傾斜角θ1は１３°であるが、図７（ｂ）に示すように、アウトソールＳのエアクッション１３０が緩衝作用をしているときの傾斜角θ2は１５°、図７（ｃ）に示すように、アウトソールＳのエアクッション１３０および緩衝器６００が同時に緩衝作用をしているときの傾斜角θ3は１７°である。このように１５〜１７°の傾斜角のとき、歩行者の姿勢矯正に最も適するように作用する。
【００４５】
これに加えて、第１着地部１００が地面に着地されながら歩行者に伝達される衝撃は、アウトソールＳに内蔵されたエアクッション１３０および緩衝器６００によって二重に緩衝される。このような二重緩衝作用によって歩行者の足首、下腿、ひざ関節および腿などに痛みを与えないため、三拍子で歩行する過程に弾力を与えて長時間歩行可能である。
【００４６】
次に、図６（ｃ）に示すように、第２着地部２００が地面に当たりながら歩行者のバランスを取って三拍子中の第２拍子を形成するが、この際、第１着地部１００は地面から離隔する。このような第２着地部２００につながって緩やかに上昇した湾曲面を形成する第３着地部３００が、図７（ｄ）に示すように地面に着地しながら自然につま先で跳躍するように誘導し、三拍子歩行中の最後の拍子を形成する。
【００４７】
一方、第２着地部２００から第３着地部３００への着地過程中に、アウトソールＳに突設されたバランス突起４００は、足の小指から親指への順序で地面に当たるとき、足首が挫けられることを防止することにより、三拍子で歩行する歩行者のバランスを適切に保持させる。
【００４８】
他方、第１着地部１００の着地によって、緩衝器６００の弾性部材６２０は伸縮しながらエア供給孔６１８を介して垂直通気孔５１０へエアを供給し、履物の内部を快適な状態にすることができる。
【００４９】
図８は本発明の他の実施例による履物のインソールを示す側断面図である。インソール５００の前方には、つま先が着地される第３着地部３００の衝撃を緩衝させるように複数の衝撃緩衝突起５６０が一体に設けられる。この衝撃緩衝突起５６０は、図８に示すように、インソールＳの先端方向に行くほど厚さｔが薄くなることが好ましい。すなわち、第２着地部２００に近接した衝撃緩衝突起５６０は、約２ｍｍの厚さ（ｔ）を有し、インソール５００の先端方向に行くほど、その厚さ（ｔ）が１．５ｍｍ、１ｍｍ、０．５ｍｍの順序で薄くなる。
【００５０】
しかも、衝撃緩衝突起５６０には第３着地部３００の衝撃を分散させるように垂直に分散孔５６２が穿設され、これにより第３着地部３００に作用する衝撃が分散孔５６２に分散する。本発明の好適な実施例を例示の目的で開示したが、当業者であれば、特許請求範囲に開示されたような本発明の精神および範囲から逸脱しないで多様な変形、付加および代替ができることが理解可能であろう。
【図面の簡単な説明】
【００５１】
【図１】本発明の実施例による履物の分解斜視図。
【図２】本発明の実施例による履物の側断面図。
【図３】本発明の実施例による履物の平面図。
【図４】図３のＡ−Ａ線断面図。
【図５】本発明の実施例による履物の緩衝器を示す分解斜視図。
【図６】本発明の実施例による履物の三拍子歩行を段階別に示す作動図。
【図７】本発明の実施例による、第１着地部の着地状態に応じて第２着地部の傾斜角を段階別に示す作動図。
【図８】本発明の他の実施例による履物のインソールを示す側断面図。
【図１】
2008535639.tif 000003
【図２】
2008535639.tif 000004
【図３】
2008535639.tif 000005
【図４】
2008535639.tif 000006
【図５】
2008535639.tif 000007
【図６】
2008535639.tif 000008
【図７】
2008535639.tif 000009
【図８】
2008535639.tif 000010
【国際調査報告】
2008535639.tif 000011
2008535639.tif 000012